(57)【特許請求の範囲】
【請求項１】
ケースの液晶表示部用開口部のスクリーン貼付面とスクリーンとを両面テープにより接着させて液晶表示部が形成されている情報端末装置であって、
液晶表示器を内包する固定部材と前記スクリーンとを前記両面テープにより接着させることを特徴とする情報端末装置。
【請求項２】
前記固定部材に接着用リブを形成させ、
該接着用リブと前記スクリーンとを前記両面テープにより接着させることを特徴とする請求項１記載の情報端末装置。
【請求項３】
前記固定部材の前記接着用リブは、組立時に、前記スクリーン貼付面の内側に位置させると共に、前記スクリーン貼付面と同じ高さになるように形成されていることを特徴とする請求項２記載の情報端末装置。
【請求項４】
前記両面テープは、前記スクリーン貼付面より内側に広い形状であることを特徴とする請求項１乃至３のいずれかに記載の情報端末装置。
【請求項５】
組立時に、前記固定部材の前記接着用リブの内側に位置する防塵用リブを前記スクリーンの裏側に形成させることを特徴とする請求項２乃至４のいずれかに記載の情報端末装置。
【請求項６】
前記固定部材の前記接着用リブに、前記スクリーンの前記防塵用リブの水平面に対向する水平対向部及び前記防塵用リブの外側鉛直面に対向する鉛直対向部が形成されていることを特徴とする請求項５記載の情報端末装置。
【発明の詳細な説明】
【０００１】
【発明の属する技術分野】
本発明は、液晶表示部を有する情報端末装置に関し、特に液晶表示部に対する防塵対策を施した情報端末装置に関する。
【０００２】
【従来の技術】
図７は、従来の情報端末装置の液晶表示部の断面の構成を示す断面図である。近年、携帯電話機等の情報端末装置は、小型化しているが、反面、液晶表示部にいたっては大型化が進んでおり、液晶表示部が大型化することによって、塵埃等のゴミが目立ち、外観的な品質を損なうため、防塵対策として液晶表示部の空間と装置内部との間を密閉することが重要な要素の一つとなっている。
【０００３】
従来、防塵対策として、図７に示すように、通常ケース１ａの内側と液晶表示器５の間に防塵クッション９を設けるという手法が一般的に採用されている。
【０００４】
【発明が解決しようとする課題】
しかしながら、従来技術では、防塵クッションが必ず必要となっているため、貼付け工数および部品増加につながり、コストが高くなると共に組立て工程が増加してしまうという問題点があった。
【０００５】
本発明は斯かる問題点を鑑みてなされたものであり、その目的とするところは、防塵クッションを使用することなく防塵を実現でき、コストを低減できるとともに組立て工程を簡略化することができる情報端末装置を提供する点にある。
【０００６】
【課題を解決するための手段】
本発明は上記課題を解決すべく、以下に掲げる構成とした。
請求項１記載の発明の要旨は、ケースの液晶表示部用開口部のスクリーン貼付面とスクリーンとを両面テープにより接着させて液晶表示部が形成されている情報端末装置であって、液晶表示器を内包する固定部材と前記スクリーンとを前記両面テープにより接着させることを特徴とする情報端末装置に存する。
また請求項２記載の発明の要旨は、前記固定部材に接着用リブを形成させ、該接着用リブと前記スクリーンとを前記両面テープにより接着させることを特徴とする請求項１記載の情報端末装置に存する。
また請求項３記載の発明の要旨は、前記固定部材の前記接着用リブは、組立時に、前記スクリーン貼付面の内側に位置させると共に、前記スクリーン貼付面と同じ高さになるように形成されていることを特徴とする請求項２記載の情報端末装置に存する。
また請求項４記載の発明の要旨は、前記両面テープは、前記スクリーン貼付面より内側に広い形状であることを特徴とする請求項１乃至３のいずれかに記載の情報端末装置に存する。
また請求項５記載の発明の要旨は、組立時に、前記固定部材の前記接着用リブの内側に位置する防塵用リブを前記スクリーンの裏側に形成させることを特徴とする請求項２乃至４のいずれかに記載の情報端末装置に存する。
また請求項６記載の発明の要旨は、前記固定部材の前記接着用リブに、前記スクリーンの前記防塵用リブの水平面に対向する水平対向部及び前記防塵用リブの外側鉛直面に対向する鉛直対向部が形成されていることを特徴とする請求項５記載の情報端末装置に存する。
ここで、本発明において「内側」「外側」とは、水平方向において、液晶表示部用開口部７の中心から見た「内側」「外側」をいう。
【０００７】
【発明の実施の形態】
以下、本発明の実施の形態を図面に基づいて詳細に説明する。
【０００８】
（第１の実施の形態）
図１は、本発明に係る情報端末装置の第１の実施の形態の構成を示す斜視図であり、図２は、図１に示す情報端末装置を分解した構成を示す爆発図であり、図３は、図２に示す固定部材（ＬＣＤフレーム）の構成を示す斜視図および断面図であり、図４は、図１に示す情報端末装置の液晶表示部の断面の構成を示す断面図である。
【０００９】
図１および図２を参照すると、第１の実施の形態は、液晶表示部が設けられているケース１ａとカバー１ｂとにより本体が形成され、ケース１ａとカバー１ｂとにより形成された本体内に液晶表示器（ＬＣＤ）５が固定部材（ＬＣＤフレーム）６を介してプリント基板２に取付けられ、スクリーン３が両面テープ４によってケース１ａの液晶表示部用開口部７の外周に形成されているスクリーン貼付面８に貼付されている。
【００１０】
固定部材（ＬＣＤフレーム）６は、図３に示すように、液晶表示器（ＬＣＤ）５を内包する空間を有し、ケース１ａの液晶表示部用開口部７の内側にはめ込まれるリブ６ａが設けられている。
【００１１】
リブ６ａは、組立て時に、ケース１ａのスクリーン貼付面８と同じ高さになるように形成されており、貼付されるスクリーン３の裏面まで達する事で、スクリーン３を液晶表示部用開口部７に接着させる両面テープ４に接着可能となり、スクリーン３との密閉性を保持する役目を果たす。
【００１２】
図４を参照すると、固定部材（ＬＣＤフレーム）６のリブ６ａの先端が、スクリーン３をケース１ａに接着させる両面テープ４の裏面まで達する寸法となっていて、固定部材（ＬＣＤフレーム）６の周囲を両面テープ４により接着されたスクリーン３で覆う形となる。なお、両面テープ４は、リブ６ａと接着する事を考えて、スクリーン貼付面８よりも内側に広くなっている。
【００１３】
従って、液晶表示器（ＬＣＤ）５を内包する固定部材（ＬＣＤフレーム）６がスクリーン３に密着することで液晶表示器（ＬＣＤ）５の周囲を密閉し、防塵クッション等を追加する事無く、塵埃等のまわり込みを押さえる効果が得られる。
【００１４】
しかも、本実施例では、もともとスクリーン３をケース１ａに貼付させる両面テープ４を使用して防塵を実現し、防塵用のクッション等が不必要になるため、無用なコストアップを押さえられるという効果も得られる。
【００１５】
以上説明したように、第１の実施の形態によれば、液晶表示器（ＬＣＤ）５を内包する固定部材（ＬＣＤフレーム）６とスクリーン３とを両面テープ４を使用して密着させることで液晶表示器（ＬＣＤ）５の周囲を密閉できるため、防塵クッションを使用することなく防塵を実現でき、コストを低減できるとともに組立て工程を簡略化することができるという効果を奏する。
【００１６】
（第２の実施の形態）
図５は、本発明に係る情報端末装置の第２の実施の形態の液晶表示部の断面の構成を示す断面図である。
【００１７】
第１の実施の形態では、固定部材（ＬＣＤフレーム）６のリブ６ａにより防塵を行うように構成したが、第２の実施の形態では、更に防塵性を高めるためスクリーン３にリブ３ａを形成してなる。
【００１８】
図５を参照すると、第２の実施の形態は、組立時に、固定部材（ＬＣＤフレーム）６のリブ６ａの内側に位置するように、スクリーン３の裏側にリブ３ａが形成されている。なお、リブ３ａは両面テープ４にかからない寸法とする。
【００１９】
以上説明したように、第２の実施の形態によれば、第１の実施の形態による効果に加えて、液晶表示部の空間と装置内部との間に、固定部材（ＬＣＤフレーム）６のリブ６ａとスクリーン３のリブ３ａと２つのリブが塵埃等の侵入に対し遮蔽物として機能するため、塵埃等のまわり込みをさらに効率よく押さえることができるという効果を奏する。
【００２０】
（第３の実施の形態）
図６は、本発明に係る情報端末装置の第３の実施の形態の液晶表示部の断面の構成を示す断面図である。
【００２１】
図６を参照すると、第３の実施の形態は、固定部材（ＬＣＤフレーム）６に、組立て時に、ケース１ａのスクリーン貼付面８と同じ高さになる部位と、スクリーン３に形成されたリブ３ａと対向する部位とからなるリブ６ｂが形成されている。
【００２２】
以上説明したように、第３の実施の形態によれば、第１の実施の形態による効果に加えて、装置内部へのゴミ等の到達距離が長くなるため、塵埃等のまわり込みをさらに効率よく押さえることができるという効果を奏する。
【００２３】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２４】
【発明の効果】
本発明の情報端末装置は、液晶表示器（ＬＣＤ）５を内包する固定部材（ＬＣＤフレーム）６とスクリーン３とを両面テープ４を使用して密着させることで液晶表示器（ＬＣＤ）５の周囲を密閉できるため、防塵クッションを使用することなく防塵を実現でき、コストを低減できるとともに組立て工程を簡略化することができるという効果を奏する。
【００２５】
さらに本発明の情報端末装置は、液晶表示部の空間と装置内部との間に、固定部材（ＬＣＤフレーム）６のリブ６ａとスクリーン３のリブ３ａと２つのリブが塵埃等の侵入に対し遮蔽物として機能するため、塵埃等のまわり込みをさらに効率よく押さえることができるという効果を奏する。
【００２６】
さらに本発明の情報端末装置は、装置内部へのゴミ等の到達距離が長くなるため、塵埃等のまわり込みをさらに効率よく押さえることができるという効果を奏する。
【図面の簡単な説明】
【図１】本発明に係る情報端末装置の第１の実施の形態の構成を示す斜視図である。
【図２】図１に示す情報端末装置を分解した構成を示す爆発図である。
【図３】図２に示す固定部材（ＬＣＤフレーム）の構成を示す斜視図である。
【図４】図１に示す情報端末装置の液晶表示部の断面の構成を示す断面図である。
【図５】本発明に係る情報端末装置の第２の実施の形態の液晶表示部の断面の構成を示す断面図である。
【図６】本発明に係る情報端末装置の第３の実施の形態の液晶表示部の断面の構成を示す断面図である。
【図７】図６におけるスクリーンのリブ及び固定部材のリブの拡大図である。
【図８】従来の情報端末装置の液晶表示部の断面の構成を示す断面図である。
【図１】
0003607591.tif 000002
【図２】
0003607591.tif 000003
【図３】
0003607591.tif 000004
【図４】
0003607591.tif 000005
【図５】
0003607591.tif 000006
【図６】
0003607591.tif 000007
【図７】
0003607591.tif 000008
【図８】
0003607591.tif 000009